(57)【要約】      （修正有）【課題】煩雑な構成を追加せずに簡便な構成により足場材本体に架設された足場板の滑動に対応することができる足場材を提供する。【解決手段】透孔部６を有するフランジ部５が取り付けられた支柱１に架設される足場材本体１１と、足場材本体１１の先端部に取り付けられた接続本体２１と、接続本体２１の上下に形成された上部開口部２２及び下部開口部２３と、接続本体２１の側端部にフランジ部５が差し込み可能なフランジ差込開口部２５とを有する接続部材２０と、接続部材２０の上部開口部２２から下部開口部２３へ貫通可能に装着されるとともにフランジ部５の透孔部６に楔着可能な棒状のくさび本体３１と、くさび本体３１の側部に設けられて接続本体２１の上部に係止される係止突部４０と、係止突部４０の係止によりくさび本体２１の後端部３３が足場材本体１１の上端より上方へ突出されてなる突出部４５とを有するくさび部材３０とを備える。【選択図】図２
0003204261.tif 000002
【実用新案登録請求の範囲】
【請求項１】
透孔部を有するフランジ部が取り付けられた支柱に前記フランジ部を介して架設される足場材本体と、
前記足場材本体の先端部に取り付けられた接続本体と、前記接続本体の上部に形成された上部開口部と、前記接続本体の下部に前記上部開口部と連通するように形成された下部開口部と、前記接続本体の側端部に前記透孔部が前記上部開口部及び前記下部開口部と連通するように前記フランジ部が差し込み可能なフランジ差込開口部とを有する接続部材と、
前記接続部材の前記上部開口部から前記下部開口部へ貫通可能に装着されるとともに前記フランジ部の前記透孔部に楔着可能な棒状のくさび本体と、前記くさび本体の側部に設けられて前記接続本体の上部に係止される係止突部と、前記係止突部の係止により前記くさび本体の後端部が前記足場材本体の上端より上方へ突出されてなる突出部とを有するくさび部材
とを備えたことを特徴とする足場材。
【請求項２】
前記くさび部材の先端部に前記接続部材の前記上部開口部から上方への抜けを防止する下部抜止突部を有する請求項１に記載の足場材。
【考案の詳細な説明】
【技術分野】
【０００１】
本考案は、フランジ部が取り付けられた支柱に前記フランジ部を介して架設される足場材に関する。
【背景技術】
【０００２】
一般に、建築物等の工事等に際しては、建築物の外周に仮設足場が設置される。この仮設足場は、複数本の支柱が所定間隔で配置され、各支柱間には足場板が架設されて複数階層の足場が形成される。このような仮設足場の架設作業にあっては、上方への足場の継ぎ足し作業の安全対策として、足場板を架設させる前に、斜材、水平材、垂直材、横架材等の足場材が手すりとして先行して配置される。
【０００３】
上記足場材を配置する場合、例えば図７に示すように、透孔部６を有するフランジ部５が設けられた支柱１に、フランジ部５を介して足場材１００が接続される。その際、足場材本体１１１の先端にはフランジ部５が差込可能なフランジ差込開口部１２５を有する接続部材１２０が取り付けられており、フランジ差込開口部１２５にフランジ部５が差し込まれた状態でフランジ部５の透孔部６にくさび部材１３０を楔着させてフランジ部５に足場材１００を接続している（例えば、特許文献１参照。）
【０００４】
図７において、符号１２１は足場材本体１１１の先端に取り付けられる接続本体、１２２は接続部材１２０の上部開口部、１２３は接続部材１２０の下部開口部、１３１はくさび部材１３０のくさび本体、１３２はくさび部材１３０の先端部、１３３はくさび部材１３０の後端部、１３４は先端部１３２に設けられて接続部材１２０から上方への抜けを防止する下部抜止突部、１３５は後端部１３３に設けられて接続部材１２０から下方への抜けを防止する上部抜止突部である。
【０００５】
この種の仮設足場では、列状に配置された各支柱にそれぞれ複数の足場材が接続され、複数のフック部を有する足場板が各足場材間にフック部を介して架設される。足場板の架設は、フック部を円筒形状の足場材本体に対して上側から引っ掛けて行われる。そのため、足場板は自重のみで足場材本体に位置決めされるに留まっている。このことから、例えば、作業者による足場板上の歩行が繰り返される等すると、振動等によって足場板のフック部が足場材本体上を滑動（横滑り）する可能性がある。
【先行技術文献】
【特許文献】
【０００６】
【特許文献１】実登３１９７０５０号公報
【考案の概要】
【考案が解決しようとする課題】
【０００７】
本考案は前記の点に鑑みなされたものであり、煩雑な構成を追加せずに簡便な構成により足場材本体に架設された足場板の滑動に対応することができる足場材を提供するものである。
【課題を解決するための手段】
【０００８】
すなわち、請求項１の考案は、透孔部を有するフランジ部が取り付けられた支柱に前記フランジ部を介して架設される足場材本体と、前記足場材本体の先端部に取り付けられた接続本体と、前記接続本体の上部に形成された上部開口部と、前記接続本体の下部に前記上部開口部と連通するように形成された下部開口部と、前記接続本体の側端部に前記透孔部が前記上部開口部及び前記下部開口部と連通するように前記フランジ部が差し込み可能なフランジ差込開口部とを有する接続部材と、前記接続部材の前記上部開口部から前記下部開口部へ貫通可能に装着されるとともに前記フランジ部の前記透孔部に楔着可能な棒状のくさび本体と、前記くさび本体の側部に設けられて前記接続本体の上部に係止される係止突部と、前記係止突部の係止により前記くさび本体の後端部が前記足場材本体の上端より上方へ突出されてなる突出部とを有するくさび部材とを備えたことを特徴とする足場材に係る。
【０００９】
請求項２の考案は、前記くさび部材の先端部に前記接続部材の前記上部開口部から上方への抜けを防止する下部抜止突部を有する請求項１に記載の足場材に係る。
【考案の効果】
【００１０】
請求項１の考案に係る足場材は、透孔部を有するフランジ部が取り付けられた支柱に前記フランジ部を介して架設される足場材本体と、前記足場材本体の先端部に取り付けられた接続本体と、前記接続本体の上部に形成された上部開口部と、前記接続本体の下部に前記上部開口部と連通するように形成された下部開口部と、前記接続本体の側端部に前記透孔部が前記上部開口部及び前記下部開口部と連通するように前記フランジ部が差し込み可能なフランジ差込開口部とを有する接続部材と、前記接続部材の前記上部開口部から前記下部開口部へ貫通可能に装着されるとともに前記フランジ部の前記透孔部に楔着可能な棒状のくさび本体と、前記くさび本体の側部に設けられて前記接続本体の上部に係止される係止突部と、前記係止突部の係止により前記くさび本体の後端部が前記足場材本体の上端より上方へ突出されてなる突出部とを有するくさび部材とを備えたため、煩雑な構成を追加せずに簡便な手法により足場材本体に架設された足場板の滑動に対応することができる。
【００１１】
請求項２の考案は、請求項１において、前記くさび部材の先端部に前記接続部材の前記上部開口部から上方への抜けを防止する下部抜止突部を有するため、くさび部材の接続部材からの上方への抜けを効果的に防止することができる。
【図面の簡単な説明】
【００１２】
【図１】本考案の一実施形態に係る足場材が支柱間に架設された状態を示す概略正面図である。
【図２】図１の足場材を支柱に連結させた状態を示す概略断面図である。
【図３】図１の足場材を支柱に連結させた状態を示す概略上面図である。
【図４】図１の足場材の非使用時の斜視図である。
【図５】図１の足場材の非使用時の要部断面図である。
【図６】足場材が支柱に対して片持ち状に架設された状態を示す概略正面図である。
【図７】従来の足場材を支柱に連結させた状態を示す概略断面図である。
【考案を実施するための形態】
【００１３】
図１は、建築物の工事等に際して建築物の外周に設置される仮設足場用の支柱１，１間に足場材１０を架設させた状態を表す正面図である。仮設足場用の支柱１は、垂直方向に立設されフランジ部５が複数個所に取り付けられている。フランジ部５は、図２，３に示すように、透孔部６を有する。フランジ部５の形状や透孔部６の数等は用途等に応じて適宜選択されるものであるが、図示の実施形態では、透孔部６が支柱１の外周面に９０度位相が異なる位置に４つ形成されている。
【００１４】
図１〜５に示すように、本考案の一実施形態に係る足場材１０は、足場材本体１１と、接続部材２０と、くさび部材３０とを備える。図１に図示の実施形態において、足場材１０は垂直方向に立設された支柱１，１に対して水平方向に架設される横架材である。なお、図中の符号５０は横架材である足場材１０にフック部５５，５５を介して架設される足場板である。
【００１５】
足場材本体１１は、足場板５０がフック部５５，５５を介して架設される部材であり、図２，３に示すように、透孔部６を有するフランジ部５が取り付けられた支柱１にフランジ部５を介して架設される。この足場材本体１１としては、例えば、直径約４０ｍｍ、厚さ約２ｍｍで構成された円筒形状の鋼管が用いられる。
【００１６】
接続部材２０は、足場材本体１１を支柱１のフランジ部５に接続するための部材であり、図２〜５に示すように、接続本体２１と、上部開口部２２と、下部開口部２３と、フランジ差込開口部２５とを有する。接続本体２１は、足場材本体１１の先端部に取り付けられる中空形状の部材であり、フランジ部５との接続時に側端部が支柱１の外周面に当接する当接部２１ａを有する。当接部２１ａは、図３，４に示すように、必要に応じて支柱１との当接面に接続本体２１の内部側へ凹んだ凹状部２１ｂを形成してもよい。当接部２１ａに凹状部２１ｂを形成することにより、支柱１に対して接続部材２０がより的確に当接可能となる。足場材本体１１への接続本体２１の取り付けは、公知の溶接等の適宜の取り付け手段が用いられる。また、接続本体２１は側端部が拡開されて側面視略倒Ｙ字状に形成されている。
【００１７】
上部開口部２２は、図２〜５に示すように、接続本体２１の上部に、当接部２１ａ側から足場材本体１１との取付部分に亘って開口して形成される。一方、下部開口部２３は、図２，５に示すように、接続本体２１の下部に、当接部２１ａ側から足場材本体１１との取付部分に亘って上部開口部２２と連通するように開口して形成される。
【００１８】
フランジ差込開口部２５は、図２，４，５に示すように、接続本体２１の側端部からフランジ部５が差し込み可能なように略水平方向へ切り込み状に形成された開口部分である。このフランジ差込開口部２５では、図２，３に示すように、支柱１からフランジ部５の先端までの長さよりも水平方向の長さの方が長く形成されて、フランジ部５の差込時に透孔部６が上部開口部２２及び下部開口部２３と連通するように構成される。また、フランジ差込開口部２５の開放側（接続本体２１の当接部２１ａ側）が、接続本体２１の側端部側に拡開して形成された拡開開口部２６とされている。
【００１９】
くさび部材３０は、接続部材２０のフランジ差込開口部２５に支柱１のフランジ部５を差し込んで接続した際にフランジ部５と接続部材２０とを固定する部材である。図２〜５に示すように、くさび部材３０は、くさび本体３１と、係止突部４０と、突出部４５とを有する。
【００２０】
くさび本体３１は、図２，４，５に示すように、接続部材２０の上部開口部２２から下部開口部２３へ貫通可能に装着されるとともに、フランジ部５の透孔部６に楔着可能なように棒状に形成されている。実施形態の棒状のくさび本体３１は、第一直線部３１ａと、先端部３２側に向かって縮小するように第一直線部３１ａに対して逆テーパ状に傾斜する傾斜部３１ｂと、第一直線部３１ａに対して平行に形成されて傾斜部３１ｂと連設された第二直線部３１ｃとを有する。
【００２１】
係止突部４０は、図４，５に示すように、くさび本体３１の両側部に設けられた突出部分であり、接続本体２１の上部に係止される。この係止突部４０は、接続本体２１の上部に係止されることにより接続部材２０の上部開口部２２から下方への抜けを防止するとともに、係止時にくさび本体３１の後端部３３を所定量突出させて突出部４５を形成する。
【００２２】
突出部４５は、図５に示すように、係止突部４０の係止によりくさび本体３１の後端部３４が足場材本体１１の上端より上方へ突出されてなる部位である。特に、この突出部４５は、図２，４，５に示すように、くさび部材３０の楔着時または楔着解除時を問わず足場材本体１１の上端位置から所定量以上に突出される。そのため、当該足場材１０の両端（接続部材２０上）において常時突出部分が形成される。従って、足場板５０が滑動（横滑り）した場合であっても、足場材本体１１の上端より上方へ常時突出する突出部４５がストッパとして作用する。なお、突出部４５の突出量は、係止突部４０の係止時に足場材本体１１の上端位置から少なくとも３センチあれば、ストッパとしての機能が十分に果たされる。
【００２３】
また、くさび部材３０では、図２，４，５に示すように、くさび本体３１の先端部３２に接続部材２０の上部開口部２２から上方への抜けを防止する下部抜止突部３５が形成されている。下部抜止突部３５は、先端部３２の両側部に設けられた突出部分であり、くさび部材３０を上方へ引き上げた際に、接続本体２１の上部開口部２２の下側に係止される。これにより、くさび部材３０の接続部材２０からの上方への抜けが効果的に防止される。
【００２４】
上記くさび部材３０の楔着に際しては、図２，３に示すように、くさび本体３１に傾斜部３１ｂが形成されていることにより、くさび本体３１が透孔部６へ円滑に差し込まれる。そして、くさび本体３１の第一直線部３１ａが接続本体２１の当接部２１ａに当接されるとともに、第二直線部３１ｃが透孔部６の内側面６ａに当接される。この状態からハンマー等によりくさび部材３０の後端部３３側から差し込み方向へ打ち付けることにより、くさび本体３１が当接部２１ａ及び透孔部６の内側面６ａに圧接されて強固に楔着される。一方、くさび部材３０の楔着を解除する際には、くさび部材３０の先端部３２側からハンマー等により差し込み方向の反対側へ打ち付けることにより、くさび本体３１の圧接が解除され、透孔部６からくさび部材３０を容易に抜き取ることが可能となる。
【００２５】
本考案の足場材１０は、前記のように、係止突部４０が接続本体２１の上部に係止されることにより、突出部４５が常時突出されて足場板５０の滑動（横滑り）に対応するストッパとなる。そのため、この足場材１０は、図６に示すように、一側の支柱１に対してのみ架設される片持ち状態での使用に好適である。この図において、符号１２は足場材本体１１の補強材、１３は補強材１２を支柱１に固定するための固定部材である。
【００２６】
足場材１０を片持ち状に架設した場合、一側の接続部材２０Ａは支柱１に連結され、支柱１に近接または当接される。一方、他側の接続部材２０Ｂは、支柱に連結されず、周囲に他の足場材等が配置されない状態とされる。ここで、片持ち状の足場材に架設された足場板が他側の接続部材側へ滑動（横滑り）すると、足場板が足場材から滑落するおそれがあるため、通常は滑落を防止するための部材が別途設けられている。
【００２７】
これに対し、本考案の足場材１０にあっては、くさび部材３０の楔着時または楔着解除時（非使用時）を問わず、くさび部材３０の突出部４５が足場材本体１１の上端より上方へ常時突出してストッパとなるため、くさび部材３０の突出部４５が足場板５０の滑動を規制して足場板５０の滑落を防止することができる。このように、本考案の足場材１０では、足場材本体に架設された足場板の滑動（横滑り）に対し、滑落防止の他の部材等の煩雑な構成を設けることなく、くさび部材３０がストッパを兼用する極めて簡便な構成によって効果的な対応が可能である。
【００２８】
なお、本考案の足場材は、前述の実施例のみに限定されるものではなく、考案の趣旨を逸脱しない範囲において構成の一部を適宜に変更して実施することができる。
【産業上の利用可能性】
【００２９】
以上のとおり、本考案の足場材は、極めて簡便な構成によって足場板の滑動に対応可能であるため、より高い安全性を備えた仮設足場の設置が可能となる。
【符号の説明】
【００３０】
１      支柱
５      フランジ部
６      透孔部
６ａ    透孔部の内側面
１０    足場材
１１    足場材本体
２０    接続部材
２１    接続本体
２１ａ  当接部
２２    上部開口部
２３    下部開口部
２５    フランジ差込開口部
２６    拡開開口部
３０    くさび部材
３１    くさび本体
３１ａ  第一直線部
３１ｂ  傾斜部
３１ｃ  第二直線部
３２    先端部
３３    後端部
３５    下部抜止突部
４０    係止突部
４５    突出部
５０    足場板
５５    フック部
【図１】
0003204261.tif 000003
【図２】
0003204261.tif 000004
【図３】
0003204261.tif 000005
【図４】
0003204261.tif 000006
【図５】
0003204261.tif 000007
【図６】
0003204261.tif 000008
【図７】
0003204261.tif 000009